【手続補正書】
【提出日】平成17年11月1日(2005.11.1)
【手続補正１】
【補正対象書類名】明細書
【補正対象項目名】００５２
【補正方法】変更
【補正の内容】
【００５２】
次に、図２に、本実施の形態におけるサービス利用端末１００のハードウェア構成の具体例を示す。図２を参照して、本実施の形態におけるサービス利用端末１００は、ＣＰＵ（Central Processing Unit）等から構成されて、このサービス利用端末１００全体を制
御する制御部１２と、他の装置と通信するための通信部１１と、ＲＯＭ（Read Only Memory）やＲＡＭ（Random Access Memory）などから構成されて、制御部１２において実行されるプログラムや、そのプログラムの中間データおよび他のコンピュータから受信したデータ等を記憶する記憶部１３と、入出力部１４とを含んで構成される。
【手続補正２】
【補正対象書類名】明細書
【補正対象項目名】００６７
【補正方法】変更
【補正の内容】
【００６７】
図６は、図５に示されたアプリケーションデータ３１０のうち、アプリケーション名４０１、アプリケーション識別子４０２、有効期限４０３、および最大利用回数４０４の具体例を示す図である。図６に示される具体例においては、アプリケーション名４０１は「Ｍｕｌｔｉｍｅｄｉａ  Ｍｅｓｓａｇｅ」と設定されている。また、アプリケーション識別子４０２は「提供元が“ＡＡＡ  Ｃｏｒｐ．”、一意に割当てられた番号が“ＨＧ３４９０Ｓ２３４５”」と設定されている。また、有効期限４０３は「２００４年４月１日まで有効」と設定されている。また、最大利用回数４０４は「１００回有効」と設定されている。
【手続補正３】
【補正対象書類名】明細書
【補正対象項目名】００７７
【補正方法】変更
【補正の内容】
【００７７】
図１０は、図９に示されたコネクタデータ７１０のうち、コネクタ名８０１、コネクタ識別子８０２、有効期限８０３、および最大利用回数８０４の具体例を示す図である。図１０に示される具体例においては、コネクタ名８０１は「ＴｅｘｔＡｒｔ」と設定されている。また、コネクタ識別子８０２は「提供元が“ＡＡＡ  Ｃｏｒｐ．”、このコネクタを使えるアプリケーションの提供元が“ＡＡＡ  Ｃｏｒｐ．”、一意に割当てられた番号が“ＬＳ４３６９Ｐ３５５０”」と設定されている。また、有効期限８０３は「２００４年４月１日まで有効」と設定されている。また、最大利用回数８０４は「１００回有効」と設定されている。
【手続補正４】
【補正対象書類名】明細書
【補正対象項目名】００７９
【補正方法】変更
【補正の内容】
【００７９】
同様に、図１１に、コネクタデータ７１０のうち、コネクタ名８０１、コネクタ識別子８０２、有効期限８０３、および最大利用回数８０４の他の具体例を示す。図１１を参照して、コネクタ名８０１は「Ｃａｍｅｒａ」と設定されている。また、コネクタ識別子８０２は「提供元が“ＡＡＡ  Ｃｏｒｐ．”、このコネクタを使えるアプリケーションの提供元は指定なし（どのアプリケーションからも利用可能）、一意に割当てられた番号が“ＲＥ６５８９Ｐ８１１２”」と設定されている。また、有効期限８０３は「指定なし（常に利用可能）」と設定されている。また、最大利用回数８０４は「指定なし（何度でも利用可能）」と設定されている。
【手続補正５】
【補正対象書類名】明細書
【補正対象項目名】００９１
【補正方法】変更
【補正の内容】
【００９１】
コネクタデータ７１０が図４３に示されるように最大待ち時間８０６を含むことで、サービス利用端末１００がコネクタデータ７１０に特定されるサービス利用端末１００の機能を利用する場合、またはネットワーク上のサービス提供サーバ２１０にアクセスして機能をダウンロードする場合、サービス利用端末１００は、コネクタデータ７１０に含まれる最大待ち時間８０６を参考にして前記機能を利用する際の例外的な処理を行なうことができる。なお、コネクタデータ７１０に含まれる最大待ち時間８０６はあくまで参考の値であり、実装はサービス利用端末１００、またはアプリケーション４０５に依存する。
【手続補正６】
【補正対象書類名】明細書
【補正対象項目名】０１１６
【補正方法】変更
【補正の内容】
【０１１６】
このようなコネクタデータ受信処理を実行して、コネクタ提供サーバ２８０は、サービス提供サーバ２１０から提供されるサービスにアクセス可能なコネクタデータをコネクタデータ管理部９２０に新たに保持することになる。
【手続補正７】
【補正対象書類名】明細書
【補正対象項目名】０１２９
【補正方法】変更
【補正の内容】
【０１２９】
ステップＳ１０６では、コネクタ提供サーバ１３０７からコネクタを正しくダウンロードできたか否かを判定する。正しくダウンロードできた場合には（Ｓ１０６でＹＥＳ）処理をステップＳ１０８に進め、ダウンロードに失敗した場合は（Ｓ１０６でＮＯ）処理をステップＳ１０７へ進め、エラーメッセージを生成して処理をステップＳ１１１にさらに進める。
【手続補正８】
【補正対象書類名】明細書
【補正対象項目名】０１３０
【補正方法】変更
【補正の内容】
【０１３０】
ステップＳ１０８においては、ステップＳ１０５２でサービス利用端末１３０１内から取得したコネクタ、またはステップＳ１０５１でコネクタ提供サーバ１３０７からダウンロードしたコネクタを解析し、利用する機能がサービス利用端末１３０１内の機能であるか、サービス利用端末１３０１外の機能であるかを判定する。ステップＳ１０８での判定方法としては、コネクタデータ７１０の入出力定義８０５に基づいて判定する方法が挙げられる。より具体的には、コネクタデータ７１０の入出力定義８０５が図１２に示される入出力定義８０５ａである場合には、ステップＳ１０８において記述２５０３で設定されているその機能へのアクセス情報としてのアドレスＵＲＬより、その機能がサービス利用端末１３０１外の機能であると判定する（Ｓ１０８で「端末外の機能」）。一方、コネクタデータ７１０の入出力定義８０５が図１２に示される入出力定義８０５ｂである場合には入出力定義８０５ｂにその機能へのアクセス情報としてアドレスＵＲＬを設定する記述２５０３が含まれないため、ステップＳ１０８においては、その機能がサービス利用端末１３０１内の機能であると判定する（Ｓ１０８で「端末内の機能」）。なお、上述のように、入出力定義８０５ｂにその機能へのアクセス情報として“Ｌｏｃａｌ”などを設定する記述２５０３が含まれている場合には、ステップＳ１０８においては、その記述２５０３に基づいてその機能がサービス利用端末１３０１内の機能であると判定する。
【手続補正９】
【補正対象書類名】明細書
【補正対象項目名】０１３３
【補正方法】変更
【補正の内容】
【０１３３】
さらに、図１９に、上述のステップＳ１０９における端末外機能利用処理をフローチャートで示す。すなわち、図１９を参照して、サービス利用端末１３０１においてサービス利用端末１３０１外の機能を利用する場合、すなわち、サービス提供サーバ１３０６の提供する機能を利用する場合、まずステップＳ２０１において、実行中のアプリケーションから、利用しようとしているサービス利用端末１３０１外の機能が利用可能であるかどうかを判定する。ステップＳ２０１での判定は、コネクタに設定された識別子と、アプリケーションに設定された識別子とを比較することにより行なわれる。具体的には、図１０に具体例が示されたコネクタデータ７１０には、コネクタ識別子８０２において、ｖｅｎｄｏｒＬｉｍｉｔという要素にＡＡＡ  Ｃｏｒｐ．という値が設定されており、また図６に具体例が示されたアプリケーションデータ３１０には、アプリケーション識別子４０２において、ｖｅｎｄｏｒという要素にＡＡＡ  Ｃｏｒｐ．という値が設定されている。ステップＳ２０１においては、これらが一致するため、図６に示されたアプリケーションから図１０に示されたコネクタに設定された端末外の機能が利用可能であると判定される。
【手続補正１０】
【補正対象書類名】明細書
【補正対象項目名】０１３５
【補正方法】変更
【補正の内容】
【０１３５】
ステップＳ２０２では、コネクタの有効期限と最大利用回数とをチェックして、そのコネクタがまだ利用可能であるかどうかを判定する。サービス利用端末１３０１において対象となるコネクタがそれまで何度利用されたかは記憶領域１６０に記憶されているものとし、現在の日時はサービス利用端末１３０１より取得できるとする。ステップＳ２０２において、コネクタの有効期限および最大利用回数は、図９に示すコネクタデータ７１０の有効期限８０３および最大利用回数８０４に設定されている値を参照することにより取得できる。
【手続補正１１】
【補正対象書類名】明細書
【補正対象項目名】０１７１
【補正方法】変更
【補正の内容】
【０１７１】
［変形例３］
第３の変形例として、コネクタデータ７１０の他の具体例を図３３に示す。第３の変形例においては、コネクタデータ７１０において、対応する機能で扱うデータの種類を考慮して、記述８００のようにアクセスの制限が設定されることを特徴としている。すなわち、図３３を参照して、具体的に第３の変形例においてコネクタデータ７１０は、Ｆｉｌｅ機能が扱うデータのうち、システムデータは読取専用のデータであって表示せず、住所録データは読取専用のデータであって表示し、一般データは読書可能のデータであって表示する、と設定している。
【手続補正１２】
【補正対象書類名】明細書
【補正対象項目名】０１９５
【補正方法】変更
【補正の内容】
【０１９５】
またより具体的には、サービス利用端末１３０１の端末情報を参照することにより、サービス利用端末１３０１が「体験版」の状態でアプリケーションを起動していることを検知した場合、ステップＳ６０６でコネクタデータ管理部９２０はコネクタデータ９１０の最大利用回数を１０回に指定する編集、または有効期限をリクエストのあった日から１週間後までの日付に指定する編集を行なう。このような編集を行なうことにより、サービス利用端末１３０１上で当該アプリケーションを実行する際、前述コネクタデータ９１０で特定される機能の利用回数や利用期間を制限することができる。
【手続補正１３】
【補正対象書類名】明細書
【補正対象項目名】０２０１
【補正方法】変更
【補正の内容】
【０２０１】
ステップＳ６１０では通信制御部５３０において、コネクタを要求したサービス利用端末１３０１に対して、コネクタの要求手続きが異常終了したことの通知を行なう。ステップＳ６１０では、サービス利用端末１３０１自身がタイムアウト処理機能や通信エラー検知機能を備える場合にはエラー通知処理を省略して、コネクタ提供サーバ１３０７自身のエラー処理のみを行なってもよい。その後、処理をステップＳ６０２に戻し、次のコネクタ要求があるまで待機する。
【手続補正１４】
【補正対象書類名】明細書
【補正対象項目名】０２１９
【補正方法】変更
【補正の内容】
【０２１９】
［変形例８］
第８の変形例にかかるコネクタデータの保存方法および管理方法の具体例を図６２に示す。第８の変形例においては、図６２に示されるように、コネクタデータ保存領域およびコネクタデータ管理部がネットワークによって接続されたサーバに保持されて、サービス利用端末１０３１内のコネクタ管理部１２０には、該サーバに保持されるコネクタデータ保存領域およびコネクタデータ管理部の存在場所のみが保持されることを特徴とする。
【手続補正１５】
【補正対象書類名】明細書
【補正対象項目名】０２６８
【補正方法】変更
【補正の内容】
【０２６８】
１１  サービス利用端末の通信部、１２  サービス利用端末の制御部、１３  サービス利用端末の記憶部、１４  入出力部、２１  コネクタ提供サーバの通信部、２２  コネクタ提供サーバの制御部、２３  コネクタ提供サーバの記憶部、２４  コネクタ提供サーバの操作部、２５  コネクタ提供サーバの表示部、１００，１０３１，１３０１  サービス利用端末、１３１  一般ユーザ変更可能領域、１３２  一般ユーザ変更不可領域、１４１  サービス利用端末の操作部、１４２  サービス利用端末の表示部、１４３  音声入力部、１４４  音声出力部、１１０  アプリケーション管理部、１２０  サービス利用端末のコネクタ管理部、１３０  外部機能管理部、１４０  内部機能管理部、１５０  サービス利用端末の通信制御部、１６０  サービス利用端末の記憶領域、２００  ネットワーク、２１０，１３０６  サービス提供サーバ、２３０  携帯電話網、２３１  プログラム領域、２３２  データ領域、２４０  携帯電話基地局、２６０  ホームネットワーク、２８０，１３０７  コネクタ提供サーバ、３００  アプリケーションデータ保存領域、３１０  アプリケーションデータ、３２０  アプリケーションデータ管理部、４０１  アプリケーション名、４０２  アプリケーション識別子、４０３，８０３  有効期限、４０４，８０４  最大利用回数、４０５  アプリケーション、５１０  端末管理部、５２０  コネクタ提供サーバのコネクタ管理部、５３０  コネクタ提供サーバの通信制御部、５４０  コネクタ提供サーバの記憶領域、７００  サービス利用端末のコネクタデータ保存領域、７１０，９１０  コネクタデータ、７２０  サービス利用端末のコネクタデータ管理部、８０１  コネクタ名、８０２  コネクタ識別子、８０５  入出力定義、９００  コネクタ提供サーバのコネクタデータ保存領域、９２０  コネクタ提供サーバのコネクタデータ管理部、１１０１  外部機能呼出部、１１０２  外部機能結果解析部、１２０１  内部機能呼出部、１２０２  内部機能結果解析部、１３０２  ディスプレイ、１３０３〜１３０５  機能、１３０８  中継サーバ、６３１０  占いアプリケーション、６３２０，６３３０  コネクタデータ、６３４０，６３５０  占いＷｅｂサービス、６４１０  占いインタフェース、６４１１〜６４１４  フォーム、６４１５，６４１６，６４２２，７０３０  ボタン、６４２０  占い結果画面、６４２１  領域、６５１０，６６１０  メソッド、６９２０  メニューリスト、６９３０，７０１０，７０２０  選択項目。
【手続補正１６】
【補正対象書類名】図面
【補正対象項目名】図３３
【補正方法】変更
【補正の内容】
【図３３】
2005209133.tif 000001